(57)【要約】【課題】機器全体の構造を簡略化できるとともに、製作コストの低減を図ることができる２重蓋構造を提供する。【解決手段】外蓋体１３を閉状態にしたとき、内蓋体１５を開状態にする連動機構１７を設けたうえで、外蓋体１３の閉状態を検出する検出スイッチ１９を設けたことで、外蓋体１３の閉状態を検出する検出スイッチと、内蓋体１５の開状態を検出するための検出スイッチとを兼用する。【選択図】      図１
2005025853.tif 000002
【特許請求の範囲】
【請求項１】
記録媒体が挿通される挿通孔が形成されるケース本体と、
ケース本体に支持され、前記挿通孔を閉じる閉状態と、挿通孔を開く開状態とにわたって変位可能な第１および第２の蓋体と、
第１の蓋体を閉状態にしたとき、第２の蓋体を開状態にする連動手段と、
前記第１の蓋体の閉状態を検出する検出手段とを有することを特徴とする２重蓋構造。
【請求項２】
前記連動手段は、第１および第２の蓋体の少なくともいずれか一方に付設される突起片を含み、この突起片は、第１の蓋体を閉状態にしたとき、第２の蓋体を押圧して開状態にすることを特徴とする請求項１に記載の２重蓋構造。
【請求項３】
前記突起片のうち、少なくとも第２の蓋体を押圧する部分は、弾性体から成ることを特徴とする請求項２に記載の２重蓋構造。
【請求項４】
第２の蓋体を閉状態に付勢する付勢手段をさらに有することを特徴とする請求項１または２に記載の２重蓋構造。
【発明の詳細な説明】
【０００１】
【発明の属する技術分野】
本発明は、２重蓋構造に関し、たとえばオーディオ機器などの電子機器に好適に適用される技術に関する。
【０００２】
【従来の技術】
図１２は、従来の２重蓋構造のディスク挿入待機状態を表す断面図である。図１３は、従来のディスク挿入時の２重蓋構造の断面図である。図１４は、従来のディスク装着時の２重蓋構造の断面図である。図１５は、従来の外蓋体と検出スイッチとの関係を示す断面図である。オーディオ機器などの電子機器においては、外観のデザインの向上を図るとともに電子機器内部に埃が侵入するのを防止するため、ケース本体に内蓋体と外蓋体とを備えた２重蓋構造のものが実用に供されている。
【０００３】
従来の２重蓋構造のものでは、後述するエムディー１（ＭＤ：Ｍｉｎｉ  Ｄｉｓｋ）の配置状態に応じて複数の検出スイッチ２，３，４がオンまたはオフとなる。換言すれば複数の検出スイッチ２，３，４のスイッチング状態に応じて、エムディー１の状態を認識し得る。前記エムディー１をディスク１という場合がある。ディスク１の挿入待機状態では、外蓋体５の開状態を検出する外開検出スイッチ３がオン、外蓋体５の閉状態を検出する外閉検出スイッチ４がオフ、および内蓋体６の開状態を検出する内開検出スイッチ２がオフとなる。
【０００４】
ディスク挿入時には、前記外開検出スイッチ３がオン、外閉検出スイッチ４がオフ、および内開検出スイッチ２がオンとなる。ディスク装着時には、外開検出スイッチ３がオン、外閉検出スイッチ４がオフ、および内開検出スイッチ２がオフとなる。ディスク装着後、外蓋体５を閉じる場合には、外開検出スイッチ３がオフ、外閉検出スイッチ４がオン、内開検出スイッチ２がオフとなる。
【０００５】
【特許文献１】
特開平９−９４８０７号公報
【０００６】
【発明が解決しようとする課題】
このような従来技術では、外蓋体５の開閉状態を検出する２つの検出スイッチ３，４が必要になるうえ、内蓋体６の開状態を検出する１つの検出スイッチ２が必要である。このように従来技術では、少なくとも３つの検出スイッチ２，３，４が必要になるので、電子機器の構造が複雑化するだけでなく、電子機器全体の製作コストが増加する。
【０００７】
したがって本発明の目的は、機器全体の構造を簡略化できるとともに、製作コストの低減を図ることができる２重蓋構造を提供することである。
【０００８】
【課題を解決するための手段】
本発明は、記録媒体が挿通される挿通孔が形成されるケース本体と、
ケース本体に支持され、前記挿通孔を閉じる閉状態と、挿通孔を開く開状態とにわたって変位可能な第１および第２の蓋体と、
第１の蓋体を閉状態にしたとき、第２の蓋体を開状態にする連動手段と、
前記第１の蓋体の閉状態を検出する検出手段とを有することを特徴とする２重蓋構造である。
【０００９】
本発明に従えば、ケース本体には、閉状態と開状態とにわたって変位可能な第１および第２の蓋体が支持されている。第１の蓋体を閉状態にしたとき、連動手段によって第２の蓋体は開状態に変位する。このとき第１の蓋体の閉状態が検出手段によって検出される。
【００１０】
このように第１の蓋体を閉状態にしたとき、第２の蓋体を開状態にする連動手段を設けたうえで、第１の蓋体の閉状態を検出する検出手段を設けたので、第１の蓋体の閉状態を検出する検出手段と、第２の蓋体の開状態を検出するための手段とを兼用することができる。それ故、本発明の２重蓋構造に従えば、従来の構造のものよりも検出手段の数を低減することができる。したがってこの２重蓋構造を含む機器全体の構造を簡略化できるとともに、製作コストの低減を図ることができる。
【００１１】
また本発明は、前記連動手段は、第１および第２の蓋体の少なくともいずれか一方に付設される突起片を含み、この突起片は、第１の蓋体を閉状態にしたとき、第２の蓋体を押圧して開状態にすることを特徴とする。
【００１２】
本発明に従えば、突起片は第１の蓋体を閉状態にしたとき、第２の蓋体を押圧して開状態にする。このように第１の蓋体に連動して、第２の蓋体の開状態を実現することが可能となる。
【００１３】
また本発明は、前記突起片のうち、少なくとも第２の蓋体を押圧する部分は、弾性体から成ることを特徴とする。
【００１４】
本発明に従えば、特に第２の蓋体を押圧する部分が弾性体から成るので、第２の蓋体を押圧するとき、第１および第２の蓋体に傷がつかないうえ、押圧するときの衝突音を極力解消することが可能となる。
【００１５】
また本発明は、第２の蓋体を閉状態に付勢する付勢手段をさらに有することを特徴とする。
【００１６】
本発明に従えば、付勢手段によって、第２の蓋体を閉状態に付勢することができる。通常状態において、第２の蓋体を付勢手段でもって閉状態にすることができる。このように第２の蓋体を閉状態にする構造を簡略化することができる。
【００１７】
【発明の実施の形態】
図１は、本発明の第１の実施形態に係る２重蓋構造の要部の断面図である。図２は、第１の蓋体と第２の蓋体との関係を表す２重蓋構造の要部の断面図である。図３は、ディスク挿入待機状態を表す２重蓋構造の斜視図である。図４は、ディスク挿入時における２重蓋構造の斜視図である。本実施形態は、たとえばエムディー（ＭＤ：Ｍｉｎｉ  Ｄｉｓｋ）用のオーディオ機器に、本発明の２重蓋構造を適用した場合の一例を示す。ただしＭＤ用のオーディオ機器に必ずしも限定されるものではなく、種々な電子機器に本発明の２重蓋構造を適用し得る。
【００１８】
オーディオ機器１０は、主に、ケース本体１１と、ディスク挿入排出機構１２と、第１の蓋体としての外蓋体１３と、外蓋体駆動装置１４（図５参照）と、第２の蓋体としての内蓋体１５と、付勢手段としての内蓋付勢スプリング１６（図６参照）と、連動手段としての連動機構１７と、検出スイッチ１８，１９とを有する。検出スイッチ１９が検出手段に相当する。ケース本体１１の外観は略直方体形状に形成される。このケース本体１１の長手方向をｙ方向と定義する。このｙ方向に直交するｘ方向であって、後述する記録媒体としてのディスク２０の挿入方向をｘ方向と定義する。これらｘ方向およびｙ方向に直交する方向を、ｚ方向と定義する。
【００１９】
ケース本体１１の内部に、後述するディスク挿入排出機構１２が格納される。ディスク挿入排出機構１２にはディスク挿入口１２ａが形成され、このディスク挿入口１２ａに臨むケース本体１１の壁部のうち後述の傾斜部分２１に、ディスク２０が挿通される挿通孔２１ａが形成されている。前記壁部のうちｚ方向一方側の部分は、ｚ方向一方に向かうに従ってｘ方向一方に傾斜するように形成されている。
【００２０】
つまり前記ｚ方向一方側の部分を含む仮想平面は、壁部のｚ方向他方側の部分を含む仮想平面に対してたとえば約３０度の傾斜角度を成す。ｚ方向一方側の部分を傾斜部分２１といい、ｚ方向他方側の部分を平坦部分２２という場合がある。このような傾斜部分２１に挿通孔２１ａが形成されるので、たとえばディスク２０の挿入方向が略水平方向となるようにケース本体１１が支持される場合に、挿通孔２１ａから埃などが侵入するのを極力防止することができる。前記略水平方向は水平方向を含む。
【００２１】
図５は、２重蓋構造の内部を示す斜視図である。ケース本体１１には、外蓋体１３が揺動変位可能に支持されている。外蓋体１３のうちディスク挿入排出機構１２側に臨む一表面部１３ａには、外蓋体動力伝達ギヤ２３およびシャフト部材２４が付設されている。外蓋体動力伝達ギヤ２３はセクタギヤから成り、前記外蓋体動力伝達ギヤ２３は、前記一表面部１３ａのｙ方向一方でかつ外蓋体１３の厚み方向に突出するように設けられている。シャフト部材２４は、その長手方向がｙ方向と平行になるように配設される。
【００２２】
一表面部１３ａのｙ方向一方において、シャフト部材２４の長手方向一端部がセクタギヤの要部に固着される。一表面部１３ａのｙ方向他方において、シャフト部材２４の長手方向他端部がたとえばフランジ部であって外蓋体１３の一表面部１３ａから厚み方向に所定小距離突出する図示外のフランジ部に固着される。
【００２３】
ケース本体１１には、ｙ方向に離隔した一対の軸受２５が設けられる。一対の軸受２５のうちｙ方向一方の軸受２５は、ケース本体１１の動力伝達ギヤ２３付近に固着される。これら一対の軸受２５にシャフト部材２４が回動可能に支持される。これによって外蓋体１３は、ケース本体１１に揺動変位可能に支持される。つまり外蓋体１３は、挿通孔２１ａを閉じる閉状態と、挿通孔２１ａを開く開状態とにわたって変位可能である。外蓋体１３を閉状態にした状態では、外蓋体１３の一表面部１３ａは傾斜部分２１に近接または当接する。外蓋体１３を開状態にした状態では、外蓋体１３の一表面部１３ａを含む仮想平面が、ケース本体１１の傾斜部分２１を含む仮想平面に対してたとえば約３０度となる。
【００２４】
ケース本体１１には、内蓋体１５が揺動変位可能に支持されている。内蓋体１５は挿通孔２１ａを外蓋体１３の反対側から塞ぐような長方形板状に形成される。つまり内蓋体１５は、傾斜部分２１のケース本体１１内側の一表面部およびディスク挿入排出機構１２に臨むように支持されている。内蓋体１５の一側縁部には、シャフト部２６がこの内蓋体１５に一体的に設けられる。
【００２５】
ケース本体１１には、ｙ方向に離隔した一対の軸受２７が設けられる。一対の軸受２７のうちｙ方向一方の軸受２７は、後述する検出スイッチ１９付近に固着される。ｙ方向他方の軸受２７は、後述する内蓋付勢スプリング１６付近に固着される。これら一対の軸受２７に前記シャフト部２６が回動可能に支持される。これによって内蓋体１５は、ケース本体１１に揺動変位可能に支持される。
【００２６】
つまり内蓋体１５は、挿通孔２１ａを閉じる閉状態と、挿通孔２１ａを開く開状態とにわたって変位可能である。内蓋体１５を閉状態にした状態では、内蓋体１５の一表面部は傾斜部分２１に近接または当接する。内蓋体１５を開状態にした状態では、内蓋体１５の一表面部を含む仮想平面が、ケース本体１１の平坦部分２２を含む仮想平面に対してたとえば約４０度となる。
【００２７】
図６は、内蓋体１５周辺の要部の構造を示す斜視図である。図５も参照しつつ説明する。前記シャフト部２６のｙ方向他方の端部とケース本体１１との間には、シャフト部２６および内蓋体１５をｚ方向一方に付勢するための内蓋付勢スプリング１６が介在されている。この内蓋付勢スプリング１６は引張りコイルばねから成る。たとえば内蓋体１５を開状態にする押圧力が解除された場合には、内蓋付勢スプリング１６の付勢力によって内蓋体１５を閉状態にする。内蓋体１５を開状態にする押圧力が作用された場合には、内蓋付勢スプリング１６の付勢力に抗して内蓋体１５を開状態にする。
【００２８】
図７は、弾性体から成る突起片２８を概略説明する図である。図１〜図５も参照しつつ説明する。外蓋体駆動装置１４は、モータなどから構成される図示外の外蓋体動力源と、動力伝達ギヤ２９と、外蓋体動力伝達ギヤ２３とを有する。ケース本体１１の一側壁部１１ａに、前記モータのモータ本体が支持される。このモータ軸の先端部がケース本体１１内でｙ方向向きに配設されるうえ、前記モータ軸に動力伝達ギヤ２９が外嵌固着される。
【００２９】
前記動力伝達ギヤ２９は一対のセクタギヤを備え、これらセクタギヤはモータ軸に対し線対称になるように配設される。一対のセクタギヤのうちの少なくともいずれか一方に、外蓋体動力伝達ギヤ２３が噛合する。ケース本体１１の平坦部分２２には、外蓋体１３を閉じるための操作ボタン３０が設けられている。操作者が操作ボタン３０を押圧することで、この操作ボタン３０に電気的に接続される図示外の制御手段は、モータを回転駆動させる制御信号をモータに与える。このようにモータを回転駆動することで、動力伝達ギヤ２９および外蓋体動力伝達ギヤ２３を介して外蓋体１３を閉状態に動作させる。
【００３０】
前記連動機構１７は、外蓋体１３を閉状態にしたとき、内蓋体１５を開状態にするものである。この連動機構１７は、外蓋体１３に付設される突起片２８を含む。つまり傾斜部分２１に臨む外蓋体１３の一表面部１３ａには、この外蓋体１３の厚み方向に予め定める長さ突出する突起片２８が付設されている。この突起片２８は、外蓋体１３を閉状態にしたとき、内蓋体１５を押圧して強制的に開状態にする。
【００３１】
突起片２８の先端部分であって内蓋体１５を押圧する先端部分は、弾性変形可能なたとえばゴムなどの弾性体から成る。したがって内蓋体１５をこの突起片２８の先端部分でもって押圧するとき、外蓋体１３および内蓋体１５に傷がつかないうえ、押圧するときの衝突音を極力解消することが可能となる。本実施の形態では、突起片２８の先端部分のみを弾性体から成る構成にしているが、必ずしもこの構成に限定されるものではない。たとえば突起片２８の先端部分を含む大部分または突起片２８の全体を、弾性体から成る構成にしてもよい。このような場合にも、本実施の形態と同様の効果を奏する。
【００３２】
検出スイッチ１８は、外蓋体１３が開状態になったことを検出するスイッチであり、たとえば近接スイッチなどが採用される。ただし検出スイッチ１８は、近接スイッチに必ずしも限定されるものではない。たとえばフォトインタラプタなどを含む光検出手段を採用してもよい。この場合にも本実施形態と同様の効果を奏する。この検出スイッチ１８は、ケース本体１１の傾斜部分２１に設けられる。
【００３３】
外蓋体１３が開状態に変位すると、外蓋体動力伝達ギヤ２３の一側縁部２３ａが検出スイッチ１８に近接してこの検出スイッチ１８のスイッチング状態を変化させる。つまりこの検出スイッチ１８がオンとなる。これによってたとえば前記制御手段は、本オーディオ機器１０がディスク挿入待機モード、ディスク挿入モード、およびディスク装着モードのうちの少なくともいずれか１つであることを認識する。
【００３４】
検出スイッチ１９は、内蓋体１５が開状態になったことを検出するスイッチであり、たとえばフォトインタラプタなどを含む光検出手段などが採用される。また検出スイッチ１９は、後述するように外蓋体１３が閉状態になったことも検出する。ただし検出スイッチ１９は、フォトインタラプタに必ずしも限定されるものではない。たとえば近接スイッチなどを採用してもよい。この場合にも本実施形態と同様の効果を奏する。
【００３５】
ケース本体１１のうちシャフト部のｙ方向一方の端部付近に、前記検出スイッチ１９が配設されている。検出スイッチ１９は、ディスク挿入排出機構１２に臨んで傾斜部分２１の一表面部に固着される。しかも検出スイッチ１９は内蓋体１５およびシャフト部２６よりも所定小距離ｚ方向他方に固着される。シャフト部２６のｙ方向一方の端部には、遮光手段であるシャッタ片３２が付設されている。このシャッタ片３２は、シャフト部２６の回動によってその軸線Ｌ１まわりに角変位可能に構成されている。このようにシャッタ片３２を角変位させることで、検出スイッチ１９のスイッチング状態を変化させる構成になっている。
【００３６】
具体的に内蓋体１５が閉状態のとき、シャッタ片３２によって遮光される。つまり内蓋体１５が内蓋付勢スプリング１６の付勢力によって閉状態に保持されていると、シャッタ片３２は、検出スイッチ１９の光の通路途中に保持される。これによって検出スイッチ１９のスイッチング状態はオフの状態になる。内蓋体１５が、内蓋付勢スプリング１６の付勢力に抗して閉状態から少しでも開くと、シャッタ片３２による遮光状態が解除される。つまり内蓋体１５およびシャフト部２６が回動することで、シャッタ片３２が前記軸線Ｌ１まわりに角変位する。それ故、シャッタ片３２は、検出スイッチ１９の光の通路途中から外れる。これによって検出スイッチ１９のスイッチング状態はオンの状態になる。
【００３７】
ここで外蓋体１３を閉状態にしたとき、連動機構１７つまり突起片２８によって内蓋体１５は開状態に変位されるので、前記検出スイッチ１９は外蓋体１３の閉状態をも検出する。前記制御手段は、本オーディオ機器１０がディスク装着モードに移行した後、検出スイッチ１９のスイッチング状態がオンの状態になると、外蓋体１３が閉状態のモードに移行したことを認識する。
【００３８】
以上説明したオーディオ機器１０の２重蓋構造によれば、外蓋体１３を閉状態にしたとき、内蓋体１５を開状態にする連動機構１７を設けたうえで、外蓋体１３の閉状態を検出する検出スイッチ１９を設けたので、外蓋体１３の閉状態を検出する検出スイッチと、内蓋体１５の開状態を検出するための検出スイッチとを兼用することができる。それ故、本実施形態の２重蓋構造によれば、従来の構造のものよりも検出スイッチの数を低減することができる。したがってこの２重蓋構造を含む機器全体の構造を簡略化できるとともに、製作コストの低減を図ることができる。
【００３９】
また本実施形態の２重蓋構造によれば、内蓋付勢スプリング１６によって、内蓋体１５を閉状態に付勢することができる。通常状態つまり外蓋体１３による押圧力が内蓋体１５に作用していない状態において、内蓋体１５を内蓋付勢スプリング１６でもって閉状態にすることができる。このように内蓋体１５を閉状態にする構造を簡略化することができる。
【００４０】
また検出スイッチ１８のスイッチング状態を変化させる検出片として、外蓋体動力伝達ギヤ２３の一側縁部２３ａを適用しているので、新たな検出片を設けることなく検出スイッチ１８のスイッチング状態を変化させることができる。したがってオーディオ機器１０の部品点数の低減を図ることができる。それ故、製作コストの低減を一層図ることが可能となる。
【００４１】
図８は、本発明の第２の実施形態に係る２重蓋構造の要部の断面図である。図９は、第１の蓋体と第２の蓋体との関係を表す２重蓋構造の要部の断面図である。図１０は、ディスク挿入待機状態を表す２重蓋構造の斜視図である。図１１は、ディスク挿入時における２重蓋構造の斜視図である。
【００４２】
第２の実施形態は、たとえばＭＤ用のオーディオ機器に本発明の２重蓋構造を適用した場合の一例を示す。ただし第１の実施形態と同一の部材には同一の符号を付し、その詳細な説明は省略する。このオーディオ機器１０Ａにおいては、特に連動機構１７Ａは、内蓋体１５に付設される突起片２８Ａを含む。逆に外蓋体１３Ａには、突起片が付設されていない。
【００４３】
オーディオ機器１０Ａは、主に、ケース本体１１と、ディスク挿入排出機構１２と、第１の蓋体としての外蓋体１３Ａと、外蓋体駆動機構１４（図５参照）と、第２の蓋体としての内蓋体１５と、付勢手段としての内蓋付勢スプリング１６（図６参照）と、連動手段としての連動機構１７Ａと、検出スイッチ１８，１９とを有する。検出スイッチ１９が検出手段に相当する。
【００４４】
前記連動機構１７Ａは、外蓋体１３Ａを閉状態にしたとき、内蓋体１５を開状態にするものである。外方に臨む内蓋体１５の一表面部１５ａには、この内蓋体１５の厚み方向に予め定める長さ突出する突起片２８Ａが付設されている。この突起片２８Ａは、外蓋体１３Ａの一表面部に当接していない状態で、挿通孔２１ａからケース本体１１の外部へ所定小距離突出するように設けられる。これによって外蓋体１３Ａを閉状態にしたとき、外蓋体１３Ａの前記一表面部に突起片２８Ａの先端部が当接する。この突起片２８Ａを介して内蓋体１５が押圧され、強制的に内蓋体１５を開状態にする。
【００４５】
突起片２８Ａの先端部分であって内蓋体１５を押圧する先端部分は、弾性変形可能なたとえばゴムなどの弾性体から成る。したがって外蓋体１３Ａの一表面部がこの突起片２８Ａの先端部に当接するとき、外蓋体１３Ａおよび内蓋体１５に傷がつかないうえ、当接するときの衝突音を極力解消することが可能となる。
【００４６】
第２の実施の形態では、突起片２８Ａの先端部分のみを弾性体から成る構成にしているが、必ずしもこの構成に限定されるものではない。たとえば突起片２８Ａの先端部分を含む大部分または突起片２８Ａの全体を、弾性体から成る構成にしてもよい。このような場合にも、前記効果と同様の効果を奏する。
【００４７】
本実施の形態では、付勢手段として、引張りコイルばねから成る内蓋付勢スプリングを適用しているが、ねじりばねなどの他のばね手段を適用することも可能である。検出スイッチ１８のスイッチング状態を変化させる検出片として、外蓋体動力伝達ギヤ２３の一側縁部２３ａを適用しているが、たとえばシャフト部材２４に一体に設けられる検出片を適用することも可能である。その他前記実施形態に、特許請求の範囲を逸脱しない範囲において種々の部分的変更を行う場合もある。
【００４８】
【発明の効果】
以上のように本発明によれば、ケース本体には、閉状態と開状態とにわたって変位可能な第１および第２の蓋体が支持されている。第１の蓋体を閉状態にしたとき、連動手段によって第２の蓋体は開状態に変位する。このとき第１の蓋体の閉状態が検出手段によって検出される。
【００４９】
このように第１の蓋体を閉状態にしたとき、第２の蓋体を開状態にする連動手段を設けたうえで、第１の蓋体の閉状態を検出する検出手段を設けたので、第１の蓋体の閉状態を検出する検出手段と、第２の蓋体の開状態を検出するための手段とを兼用することができる。それ故、本発明の２重蓋構造によれば、従来の構造のものよりも検出手段の数を低減することができる。したがってこの２重蓋構造を含む機器全体の構造を簡略化できるとともに、製作コストの低減を図ることができる。
【００５０】
また本発明によれば、突起片は第１の蓋体を閉状態にしたとき、第２の蓋体を押圧して開状態にする。このように第１の蓋体に連動して、第２の蓋体の開状態を実現することが可能となる。
【００５１】
また本発明によれば、特に第２の蓋体を押圧する部分が弾性体から成るので、第２の蓋体を押圧するとき、第１および第２の蓋体に傷がつかないうえ、押圧するときの衝突音を極力解消することが可能となる。
【００５２】
また本発明によれば、付勢手段によって、第２の蓋体を閉状態に付勢することができる。通常状態において、第２の蓋体を付勢手段でもって閉状態にすることができる。このように第２の蓋体を閉状態にする構造を簡略化することができる。
【図面の簡単な説明】
【図１】本発明の第１の実施形態に係る２重蓋構造の要部の断面図である。
【図２】第１の蓋体と第２の蓋体との関係を表す２重蓋構造の要部の断面図である。
【図３】ディスク挿入待機状態を表す２重蓋構造の斜視図である。
【図４】ディスク挿入時における２重蓋構造の斜視図である。
【図５】２重蓋構造の内部を示す斜視図である。
【図６】内蓋体１５周辺の要部の構造を示す斜視図である。
【図７】弾性体から成る突起片２８を概略説明する図である。
【図８】本発明の第２の実施形態に係る２重蓋構造の要部の断面図である。
【図９】第１の蓋体と第２の蓋体との関係を表す２重蓋構造の要部の断面図である。
【図１０】ディスク挿入待機状態を表す２重蓋構造の斜視図である。
【図１１】ディスク挿入時における２重蓋構造の斜視図である。
【図１２】従来の２重蓋構造のディスク挿入待機状態を表す断面図である。
【図１３】従来のディスク挿入時の２重蓋構造の断面図である。
【図１４】従来のディスク装着時の２重蓋構造の断面図である。
【図１５】従来の外蓋体と検出スイッチとの関係を示す断面図である。
【符号の説明】
１１  ケース本体
１３  外蓋体
１５  内蓋体
１６  内蓋付勢スプリング
１７  連動機構
１９  検出スイッチ
２１ａ  挿通孔
２８  突起片
【図１】
2005025853.tif 000003
【図２】
2005025853.tif 000004
【図３】
2005025853.tif 000005
【図４】
2005025853.tif 000006
【図５】
2005025853.tif 000007
【図６】
2005025853.tif 000008
【図７】
2005025853.tif 000009
【図８】
2005025853.tif 000010
【図９】
2005025853.tif 000011
【図１０】
2005025853.tif 000012
【図１１】
2005025853.tif 000013
【図１２】
2005025853.tif 000014
【図１３】
2005025853.tif 000015
【図１４】
2005025853.tif 000016
【図１５】
2005025853.tif 000017